(57)【特許請求の範囲】
【請求項１】
所定の機能に対応して予め用意された複数の設定内容から任意に選択された設定内容で操作対象の動作制御を行う設定装置において、
前記所定の機能に対応する設定内容を示す指標に関する情報を記憶する第１の記憶手段と、
第１の状態と第２の状態を切り換える切換手段と、
前記切換手段によって前記第１の状態に切り換えられた場合は、前記第１の記憶手段に記憶されている情報に基づき前記所定の機能に対応する設定内容を示す第１の指標を表示部の前記所定の機能に対応する表示位置に表示すると共に、前記切換手段以外の操作であって前記第１の指標に対する操作を無効とする第１の制御手段と、
前記切換手段によって前記第２の状態に切り換えられた場合は、前記第１の記憶手段に記憶されている情報に基づき前記所定の機能に対応する設定内容を示すと共に該設定内容が変更可能であることを示す第２の指標を前記表示部の前記所定の機能に対応する表示位置に表示すると共に、前記第２の指標が指定されたことを検出し、前記所定の機能に対応する設定内容の変更を受け付ける第２の制御手段と、
を備えることを特徴とする設定装置。
【請求項２】
前記第１の記憶手段は、複数の機能の各々について、選択可能な設定内容を示す前記指標に関する情報を記憶し、
前記第２の制御手段は、前記いずれかの機能に対応する前記第２の指標が指定されたかを検出し、この指定が検出された機能に対応する前記設定内容の変更を受け付けることを特徴とする請求項１記載の設定装置。
【請求項３】
前記表示部に対する外部からの接触の位置を検出する接触位置検出手段と、
前記所定の機能に対応して前記表示部に切換表示すべき前記第１の指標、又は、前記第２の指標の表示位置を記憶する位置記憶手段と、
を更に備え、
前記第１の制御手段は、前記第１の状態において、前記所定の機能に対応する表示位置への前記接触位置検出手段による位置の検出を無効とし、
前記第２の制御手段は、前記第２の状態において、前記接触位置検出手段によって検出された接触位置が前記位置記憶手段に記憶された前記所定の機能に対応する表示位置に対応する予め定められた領域内にあるとき、この所定の機能に対応する設定内容の変更の指定を検出することを特徴とする請求項１又は２に記載の設定装置。
【請求項４】
前記所定の機能ごとに選択可能な変更内容を表す第３の指標を複数記憶する第２の記憶手段を更に備え、
前記第２の制御手段は、前記所定の機能に対応する前記設定内容の変更指定が検出されると、前記第２の記憶手段から選択可能な変更内容を読み出して前記表示部に前記変更内容を示す複数の第３の指標を表示することにより、前記設定内容の変更を受け付けることを特徴とする請求項１乃至３に記載の設定装置。
【請求項５】
撮像手段を更に備え、
前記第１の制御手段は、前記表示部に前記撮像手段によって撮像される画像とともに前記第１の指標を表示し、
前記第２の制御手段は、前記表示部に前記撮像手段によって撮像される画像とともに前記第２の指標を表示することを特徴とする請求項１乃至４の何れかに記載の設定装置。
【請求項６】
表示部を備えるとともに、所定の機能に対応して複数の設定内容から任意に選択された設定内容で動作し、この所定の機能に対応する設定内容を示す指標に関する情報を記憶する記憶部を備えるコンピュータを、
第１の状態と第２の状態を切り換える切換手段、
前記切換手段によって前記第１の状態に切り換えられた場合は、前記記憶部に記憶されている情報に基づき前記所定の機能に対応する設定内容を示す第１の指標を表示部の前記所定の機能に対応する表示位置に表示すると共に、前記切換手段以外の操作であって前記第１の指標に対する操作を無効とする第１の制御手段、
前記切換手段によって前記第２の状態に切り換えられた場合は、前記記憶部に記憶されている情報に基づき前記所定の機能に対応する設定内容を示すと共に該設定内容が変更可能であることを示す第２の指標を表示部の前記所定の機能に対応する表示位置に表示する共に、前記第２の指標が指定されたことを検出し、前記所定の機能に対応する設定内容の変更を受け付ける第２の制御手段、
として機能させることを特徴とするプログラム。
【発明の詳細な説明】
【技術分野】
【０００１】
本発明は、複数の設定内容から任意に選択された設定内容で操作対象の動作制御を行う設定装置及びプログラムに関する。
【背景技術】
【０００２】
従来より、複数の設定内容を記憶し、その中から任意に選択された設定内容で動作制御を行うものとして、例えば特許文献１に記載されるような、複数の撮影条件から任意に選択された撮影条件で撮影を行うデジタルスチルカメラ（以下、単にデジタルカメラという）が知られている。
【０００３】
特許文献１に記載されたデジタルカメラは、カラー液晶パネルに透明のタッチパネルが設けられており、撮影モードにおいては撮影状況に応じたアイコンを表示させる。表示させたアイコンに対するタッチ（タッチパネルに対する外部からの接触）を検出することで、アイコンに対応する設定を変更することができるようになっている。
【０００４】
また、上記の技術においては、操作者は撮影状況に応じて表示されるアイコンを不用意にタッチした場合、撮影者が意図しない設定の変更が可能となっていることから、ある程度の誤操作を考慮した上での設定内容の変更方法が提案されている。
【特許文献１】特開２００３−２０９７１９号公報
【発明の開示】
【発明が解決しようとする課題】
【０００５】
しかしながら、上記の技術の場合、ある程度の誤操作を許容した上での改良技術を提案しているものの、設定内容の視認性の向上と誤操作の検出防止とを両立した提案はなされていない。
【０００６】
本発明は、上記問題点に鑑みて成されたものであり、設定内容の視認性の向上と誤操作の検出防止とを両立させることを目的としている。
【課題を解決するための手段】
【０００７】
上記課題を解決するために、請求項１に記載の発明は、所定の機能に対応して予め用意された複数の設定内容から任意に選択された設定内容で操作対象の動作制御を行う設定装置において、前記所定の機能に対応する設定内容を示す指標に関する情報を記憶する第１の記憶手段と、第１の状態と第２の状態を切り換える切換手段と、前記切換手段によって前記第１の状態に切り換えられた場合は、前記第１の記憶手段に記憶されている情報に基づき前記所定の機能に対応する設定内容を示す第１の指標を表示部の前記所定の機能に対応する表示位置に表示すると共に、前記切換手段以外の操作であって前記第１の指標に対する操作を無効とする第１の制御手段と、前記切換手段によって前記第２の状態に切り換えられた場合は、前記第１の記憶手段に記憶されている情報に基づき前記所定の機能に対応する設定内容を示すと共に該設定内容が変更可能であることを示す第２の指標を前記表示部の前記所定の機能に対応する表示位置に表示すると共に、前記第２の指標が指定されたことを検出し、前記所定の機能に対応する設定内容の変更を受け付ける第２の制御手段と、を備えることを特徴とする。
請求項２に記載の発明は、上記請求項１に記載の発明において、前記第１の記憶手段は、複数の機能の各々について、選択可能な設定内容を示す前記指標に関する情報を記憶し、前記第２の制御手段は、前記いずれかの機能に対応する前記第２の指標が指定されたかを検出し、この指定が検出された機能に対応する前記設定内容の変更を受け付けることを特徴とする。
【０００８】
請求項３に記載の発明は、上記請求項１又は２に記載の発明において、前記表示部に対する外部からの接触の位置を検出する接触位置検出手段と、前記所定の機能に対応して前記表示部に切換表示すべき前記第１の指標、又は、前記第２の指標の表示位置を記憶する位置記憶手段と、を更に備え、前記第１の制御手段は、前記第１の状態において、前記所定の機能に対応する表示位置への前記接触位置検出手段による位置の検出を無効とし、前記第２の制御手段は、前記第２の状態において、前記接触位置検出手段によって検出された接触位置が前記位置記憶手段に記憶された前記所定の機能に対応する表示位置に対応する予め定められた領域内にあるとき、この所定の機能に対応する設定内容の変更の指定を検出することを特徴とする。
【０００９】
請求項４に記載の発明は、上記請求項１乃至３に記載の発明において、前記所定の機能ごとに選択可能な変更内容を表す第３の指標を複数記憶する第２の記憶手段を更に備え、前記第２の制御手段は、前記所定の機能に対応する前記設定内容の変更指定が検出されると、前記第２の記憶手段から選択可能な変更内容を読み出して前記表示部に前記変更内容を示す複数の第３の指標を表示することにより、前記設定内容の変更を受け付けることを特徴とする。
【００１０】
請求項５に記載の発明は、上記請求項１乃至４に記載の発明において、撮像手段を更に備え、前記第１の制御手段は、前記表示部に前記撮像手段によって撮像される画像とともに前記第１の指標を表示し、前記第２の制御手段は、前記表示部に前記撮像手段によって撮像される画像とともに前記第２の指標を表示することを特徴とする。
【００１２】
上記課題を解決するために、請求項６に記載の発明は、表示部を備えるとともに、所定の機能に対応して複数の設定内容から任意に選択された設定内容で動作し、この所定の機能に対応する設定内容を示す指標に関する情報を記憶する記憶部を備えるコンピュータを、第１の状態と第２の状態を切り換える切換手段、前記切換手段によって前記第１の状態に切り換えられた場合は、前記記憶部に記憶されている情報に基づき前記所定の機能に対応する設定内容を示す第１の指標を表示部の前記所定の機能に対応する表示位置に表示すると共に、前記切換手段以外の操作であって前記第１の指標に対する操作を無効とする第１の制御手段、前記切換手段によって前記第２の状態に切り換えられた場合は、前記記憶部に記憶されている情報に基づき前記所定の機能に対応する設定内容を示すと共に該設定内容が変更可能であることを示す第２の指標を表示部の前記所定の機能に対応する表示位置に表示する共に、前記第２の指標が指定されたことを検出し、前記所定の機能に対応する設定内容の変更を受け付ける第２の制御手段、として機能させることを特徴とする。
【発明の効果】
【００１３】
本発明によれば、設定内容の視認性の向上と誤操作の検出防止とを両立させることができる。
【発明を実施するための最良の形態】
【００１４】
まず、本発明に係る設定装置の実施形態を適用したデジタルカメラ１０の構成について説明する。なお、本発明は図示例のものに限定されるものではない。
【００１５】
図１に、本実施の形態におけるデジタルカメラ１０の内部構成を示す。デジタルカメラ１０は、図１に示すように、制御部２０、撮像部２１、Ａ／Ｄ（Analog-Digital）変換部２２、タッチパネル２３、表示部２４、記憶部２５、画像処理部２６、操作部２７、Ｉ／Ｆ（InterFace）２８、外部記憶Ｉ／Ｏ（InputOutput）部２９等を備えて構成される。
【００１６】
制御部２０は、ＣＰＵ（Central Processing Unit）等により構成され、記憶部２５に格納された制御プログラムに従って、デジタルカメラ１０の各部を統括的に制御する。
【００１７】
撮像部２１は、撮像手段として機能し、レンズユニットやＣＣＤ（Charge Coupled Device）等から構成され、レンズユニットを介して入射された撮影画像をアナログ信号に光電変換する。本実施の形態においては、撮像部２１はＡＦ（Auto Focus）機能を備えており、レンズユニットの焦点距離（ピント）を変化させることができる。
【００１８】
Ａ／Ｄ変換部２２は、撮像部２１で得られたアナログ信号をデジタル信号に変換し、制御部２０へ入力する。
【００１９】
タッチパネル２３は、指示検出手段及び接触位置検出手段として機能し、表示部２４と一体となって設けられ、表示部２４の表示画面に接触する操作者の指の接触位置を検出する。即ち、タッチパネル２３は、例えば、表示部２４の表示画面上或いは表示画面よりも内側に設けられ、抵抗膜方式、超音波表面弾性波方式、静電容量方式等の方式により、表示画面上における接触位置のＸＹ座標を検出する。
【００２０】
図２に、本実施の形態におけるタッチパネル２３の領域を模式的に示す。
図２に示すように、タッチパネルの領域は平面座標系（以下、ＸＹ座標という）において表され、外部から接触された部分の座標を検出する。本実施の形態においては、タッチパネルの水平方向（Ｘ軸方向）を４００等分した座標、及び垂直方向（Ｙ軸方向）を２４０等分した座標で表現する。タッチパネル２３は、外部からの接触によって検出した座標を制御部２０に対して送信する。
【００２１】
表示部２４は、表示手段として機能し、ＬＣＤ（Liquid Crystal Display）やＥＬ（Electroluminescent）ディスプレイ、ＬＥＤ（Light Emitting Diode）等を備え、制御部２０から入力される表示制御信号に従って、所要の表示処理を行う。また、表示部２０は、レンズを介して入力された撮影画像を連続的に表示するファインダとしての機能も有する。なお、表示部２４を、デジタルカメラ１０の本体の背面だけでなく上面にも備えるようにしてもよい。
【００２２】
記憶部２５は、第１の記憶手段、第２の記憶手段、及び、位置記憶手段として機能し、コンピュータ読み取り可能な記憶媒体としての不揮発性の半導体メモリにより構成され、制御部２０によって実行される各種制御プログラム、後述する設定内容変更処理を始めとする各種処理プログラム及びこれらのプログラムの実行に必要なパラメータや、撮像した画像データ、後述する表示状態設定テーブルＴ１、設定内容テーブルＴ２等を記憶する。
なお、上記記憶部２５以外のその他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線（図示せず）を介して提供する媒体として、キャリアウェーブ（搬送波）も適用可能である。
【００２３】
図３に、記憶部２５に記憶される表示状態設定テーブルＴ１の一例を模式的に示す。
図３に示すように、表示状態設定テーブルＴ１は、「表示座標」フィールド、「検出範囲（座標）」フィールド、「スルー画像表示状態」フィールド、「設定モード状態」フィールド、「設定内容（機能）」フィールドから構成される。
【００２４】
「表示座標」フィールドには、当該レコードに該当するアイコンを表示する座標を示す。座標とは、先述した図２におけるタッチパネル２３のＸＹ座標のことである。「検出範囲」フィールドには、タッチパネル２３からのタッチが有効な領域（以下、タッチ検出範囲という）を示す座標である。例えば、「（０、２４０）−（７０、１９２）」という値が格納されている場合には、タッチパネル２３の（０、２４０）と（７０、１９２）を対角線とする四角形の領域がタッチ検出範囲として設定される。「スルー画像表示状態」フィールドには、表示部２４にスルー画像（静止画像）が表示されている状態において、当該スルー画像に重畳して表示させる第１の指標としての画像（以下、アイコンという）が格納される。「設定モード状態」フィールドには、後述する設定モードにおいて表示させる第２の指標としての画像（以下、ボタンという）が格納される。「設定内容（機能）」フィールドには、当該レコードに該当するボタンに対応する機能が格納される。
【００２５】
図３の例では、「設定内容（機能）」フィールドに格納される機能として、フォーカスモード、タイマ撮影、画質、フラッシュ、ＩＳＯ感度、露出値、ホワイトバランスを示している。
フォーカスモードとは、デジタルカメラ１０の撮像部２１のピントを合わせるための機能である。
タイマ撮影とは、デジタルカメラ１０の撮像部２１をタイマをセットして撮影を行うための機能である。
画質とは、撮像部２１で撮像した被写体を画像処理部２６で画像処理を行う際の機能である。
フラッシュとは、撮像部２１で撮像する際にフラッシュ（露光）機能を使用して撮像するための機能である。
ＩＳＯ感度とは、撮像部２１を構成するＣＣＤ等の受像素子の感度の機能である。
露出値とは、撮像の際の露光量を調整する機能である。
ホワイトバランスとは、被写体の白色を補正するための機能である。
【００２６】
図４に、記憶部２５に記憶される設定内容テーブルＴ２の一例を模式的に示す。
図４に示すように、設定内容テーブルＴ２は、「撮影条件」フィールド、「設定内容」フィールド、「対応表示アイコン（スルー画像表示時）」フィールド、「対応表示アイコン（設定時）」フィールド、「設定フラグ」フィールドから構成される。
【００２７】
「撮影条件」フィールドには、表示状態設定テーブルＴ１の「設定内容」フィールドに対応した撮影条件が格納される。「設定内容」フィールドには、「撮影条件」フィールドの内容に対応した具体的な設定内容が格納される。「対応表示アイコン（スルー画像表示時）」フィールドには、当該レコードに対応したアイコンを格納する。「対応表示アイコン（設定時）」フィールドには、当該レコードに対応したボタンを格納する。「設定フラグ」フィールドには、「撮影条件」フィールドの内容が同一であるレコードの中から、表示部２４に表示させるアイコンを特定するためのフラグが格納される。フラグが１となっているレコードに対応するアイコン又はボタンが表示部２４には表示されることになる。例えば、図４の例では、「撮影条件」フィールドが「フォーカスモード」の場合、「設定フラグ」フィールドが１となっているレコードは「設定内容（機能）」フィールドが「マクロ」のレコードである。この場合、設定内容がマクロに対応したアイコン（図４に図示する、花の形をした画像）とボタン（図４に図示する、花が四角の枠で囲まれた画像）が、それぞれ表示部２４に表示されるべきアイコン又はボタンとして特定されることになる。他の「撮影条件」フィールドも同様に「設定フラグ」フィールドの値が１となっているレコードに対応するアイコン又はボタンが表示部２４に表示されるべきアイコン又はボタンとして特定されることになる。
【００２８】
画像処理部２６は、画像処理のための回路から構成され、撮像部２１で撮像された画像に対し、圧縮処理等の各種画像処理を行う。
【００２９】
操作部２７は、主電源ボタン、シャッターキー、レリーズボタン、再生ボタン、モード切替ボタン、カーソルボタン等により構成され、操作部２７を構成する各種ボタンの押下による操作信号を制御部２０に出力する。
【００３０】
Ｉ／Ｆ２８は、デジタルカメラ１０と外部機器を接続するためのインターフェースであり、デジタルカメラ１０と外部機器のデータ送受信を仲介する。
【００３１】
外部記憶Ｉ／Ｏ部２９は、フラッシュメモリ等の半導体メモリが着脱可能な構成になっている。
【００３２】
次に、動作について説明する。
図５に、デジタルカメラ１０によって実行される設定内容変更処理のフローを示す。設定内容変更処理は、操作部２７からの入力により撮像部２１によって被写体を撮影するための撮影モード移行が指示された際に、制御部２０と記憶部２５に記憶されたプログラムとの協働によるソフトウェア処理により実現される。
設定内容変更処理では、タッチパネル２３から入力された指示に基づいて設定内容の変更、及び表示部２４に表示させるアイコンの変更の処理を行う。
設定内容変更処理により、制御部２０は表示制御手段、指定検出手段、及び受付手段として機能する。
【００３３】
まず、撮像部２１により順次撮像される画像が表示部２４にスルー画像として表示される（ステップＳ５１）。次に、設定内容テーブルＴ２が参照され、撮影条件が設定される（ステップＳ５２）。具体的には、設定内容テーブルＴ２の「設定フラグ」フィールドが参照され、「設定フラグ」フィールドに格納されている値が１であるレコードの「設定内容」フィールドの内容が抽出され、それぞれの内容が撮影条件として設定される。
【００３４】
そして、設定内容テーブルＴ２の「設定フラグ」フィールドの値が参照され、アイコンとボタンが表示状態設定テーブルＴ１に格納される（ステップＳ５３）。具体的には、設定内容テーブルＴ２の「設定フラグ」フィールドに格納されている値が１であるレコードが参照され、当該レコードの「対応表示アイコン（スルー画像表示時）」フィールドのアイコンと「対応表示アイコン（設定時）」のボタンが抽出される。そして、当該レコードの「撮影条件」フィールドの内容と表示状態設定テーブルＴ１の「設定内容（機能）」フィールドが比較され、一致するレコードの「スルー画像表示状態」フィールドに対して当該抽出されたアイコンが格納され、「設定モード状態」フィールドに対して当該抽出されたボタンが格納される。
【００３５】
次いで、表示状態設定テーブルＴ１の「設定内容（機能）」フィールドの内容が「設定メニューへの移行／解除」のレコードに該当する「検出範囲」フィールドに格納されている領域（図３の例では（３３０、４８）−（４００、０）で囲まれたタッチパネル２３の領域。以下、メニュー遷移指示領域という。）以外の領域に対して、タッチパネル２３からの入力を受け付けないよう無効化させる（ステップＳ５４）。そして、ステップＳ５１にてスルー画像として順次表示される撮像画像に重畳させて、アイコンとその他の画像を、表示部２４の対応する座標位置に表示させる（ステップＳ５５）。具体的には、表示状態設定テーブルＴ１が参照され、各レコードの「表示座標」レコードに格納された表示位置に、当該レコードの「スルー画像表示状態」フィールドに格納された画像（ステップＳ５３で抽出されたアイコンとその他の画像）を表示部２４に表示させる。
【００３６】
図６（ａ）に、本実施の形態におけるスルー画像表示時の表示画面Ｇ１の一例を示す。図６（ａ）に示すように、ステップＳ５１で撮像されたスルー画像（図示せず）に重畳させて、表示状態設定テーブルＴ１に対応するアイコンＩ１〜Ｉ９が、それぞれに対応する座標位置に表示されている。ステップＳ５４においてメニュー遷移指示領域以外（図６（ａ）の例では、表示画面Ｇ１の右下部「ＳＥＴ」のボタン）の領域におけるタッチパネル２３からの入力は無効化されている。
【００３７】
次いで、ステップＳ５４で定められたメニュー遷移指示領域に対してタッチパネル２３から入力がされたか否か判断される（ステップＳ５６）。メニュー遷移指示領域に対してタッチパネル２３から入力された場合（ステップＳ５６；ＹＥＳ）、スルー画像表示状態の各アイコンから、設定モードとして機能させるための画像へ徐々に表示を変化させる（ステップＳ５７）。具体的には、表示状態設定テーブルＴ１の「スルー画像表示状態」フィールドに格納されたアイコンから、対応するレコードの「設定モード状態」フィールドに格納されたボタンへと表示部２４の表示を変化させる。
【００３８】
図６（ｂ）及び図６（ｃ）に、表示画面Ｇ１からステップＳ５７によって徐々に表示が変化される様子の表示画面Ｇ２と表示画面Ｇ３の一例を示す。図６（ｂ）に示すように、アイコンＩ９がタッチされると、例えばボタンＢ１とボタンＢ６が表示画面Ｇ２の両脇からスライドしつつ出現するような動的な態様で表示される。続いて、図６（ｃ）に示すように、ボタンＢ２とボタンＢ７が同様にスライドしつつ出現する表示がなされ、引き続きボタンＢ３とボタンＢ８が表示画面Ｇ３の両脇からスライドしつつ出現するよう表示される。このように、本実施の形態におけるステップＳ５７においては、表示状態設定テーブルＴ１の「設定モード状態」フィールドに格納されているボタンが、表示画面Ｇ１の両端から、スライドして表示される。
【００３９】
次いで、ステップＳ５７による画面表示の変化が完了したか否か判断される（ステップＳ５８）。画面表示の変化が完了していない場合（ステップＳ５８；ＮＯ）、ステップＳ５７に戻り画面変化が継続して行われる。
【００４０】
図６（ｄ）にステップＳ５７による画面表示の変化が完了した際の表示画面Ｇ４の一例を示す。図６（ｄ）に示すように、ステップＳ５７による画面表示の変化が完了すると、表示画面Ｇ４は、表示状態設定テーブルＴ１の「設定モード状態」フィールドに対応するボタンＢ１〜Ｂ１０が表示される。
【００４１】
表示変化が完了したと判断された場合（ステップＳ５８；ＹＥＳ）、表示状態設定テーブルＴ１が参照され、各ボタンに対応した領域のタッチパネル２３からの入力が有効化される（ステップＳ５９）。具体的には、表示状態設定テーブルＴ１の各レコードの「検出範囲」フィールドに格納された領域に対してのタッチパネル２３の入力が有効化される。
次いで、タッチパネル２３からの入力に従って設定内容テーブルＴ２の「設定フラグ」フィールドの値が変更される（ステップＳ６０）。具体的には、表示部２４に表示されているボタンに対応した領域に対してタッチパネル２３から入力が受け付けられると、当該領域に対応した設定内容の変更を行うための表示画面Ｇ６が表示され、表示画面Ｇ６に対するタッチパネル２３からの入力に対応した設定内容と同一レコードの「設定フラグ」フィールドの値が１となる。
【００４２】
図７（ａ）に、ステップＳ５８で表示変化が完了したと判断された状態の表示画面Ｇ５の一例を示す。図７（ａ）に示すように、表示画面Ｇ５においては、タッチパネル２３からボタンＢ１〜Ｂ１０に対しての入力が待ち受けられる。
図７（ｂ）に、表示画面Ｇ６に対してタッチパネル２３から入力が指示された際に表示される表示画面Ｇ６の一例を示す。図７（ｂ）の例では、タッチパネル２３からの操作によりボタンＢ２がタッチされた場合に表示される表示画面Ｇ６を示している。
ステップＳ５９で有効化された領域に対しステップＳ６０でタッチパネル２３からタッチが検出されると、表示状態設定テーブルＴ１のタッチされたボタンに対応するレコードが参照される。当該レコードの「設定内容（機能）」フィールドに格納された内容が抽出され、その内容と設定内容テーブルＴ２の「撮影条件」フィールドの内容が比較され、内容が一致するレコードの「対応表示アイコン（設定時）」フィールドのボタンが表示部２４に表示され、当該ボタンのうち、タッチパネル２４からタッチされたボタンに対応するレコードの「設定フラグ」フィールドの値を１に変更し、他のボタンに対応するレコードの「設定フラグ」フィールドの値を０とする。つまり、図７（ｂ）の例では、表示状態設定テーブルＴ１のボタンＢ２に対応するレコードの「設定内容（機能）」フィールドの内容である「フォーカスモード」が抽出される。そして、設定内容テーブルＴ２の「撮影条件」フィールドの内容が「フォーカスモード」であるレコードの「対応表示アイコン（設定時）」フィールドの画像が抽出され、表示部２４に第３の指標としてボタンＢ２１〜Ｂ２４として表示される。ボタンＢ２１〜Ｂ２４のうち、例えばボタンＢ２１がタッチされた場合、設定内容テーブルＴ２内のボタン２１に対応するレコード（「設定内容」フィールドが「ＡＦ」のレコード）の「設定フラグ」フィールドの値が１となり、ボタン２２〜ボタン２４に対応するレコード（「設定内容」フィールドが「マクロ」、「無制限」、「ＭＦ」のレコード）の「設定フラグ」フィールドの値が０となる。
【００４３】
ステップＳ６０でフラグが変更された内容に基づいて表示部２４の表示が変更され、メニュー遷移指示領域がタッチされたか否か判断される（ステップＳ６１）。メニュー遷移指示領域がタッチされていない場合（ステップＳ６１；ＮＯ）、ステップＳ６０に戻る。メニュー遷移指示領域がタッチされた場合（ステップＳ６１；ＹＥＳ）、ステップＳ５４に戻り、ステップＳ６０によって変更された設定内容テーブルＴ２の内容に基づいて画面表示が行われる。
【００４４】
一方、メニュー遷移指示領域にタッチパネル２３から入力がされなかった場合（ステップＳ５６）、操作部２７のシャッターキーの操作が検出されたか否か判断される（ステップＳ６２）。操作部２７のシャッターキーの操作が検出された場合（ステップＳ６２；ＹＥＳ）、撮像部２１によって撮像された画像が記憶部２５もしくは外部記憶Ｉ／Ｏ部２９に接続されているメモリーカード等に保存され（ステップＳ６３）、ステップＳ５５に戻る。
シャッターキーの操作が検出されなかった場合（ステップＳ６２；ＮＯ）、操作部２７を介して撮影モードの解除の入力がされたか否か判断される（ステップＳ６４）。撮影モードの解除の入力がされなかった場合（ステップＳ６４；ＮＯ）、ステップＳ５５に戻る。撮影モードの解除の入力がされた場合（ステップＳ６４；ＹＥＳ）、処理は終了する。
【００４５】
以上のように、本実施の形態におけるデジタルカメラ１０は、表示部２４に表示されているスルー画像に重畳的に表示されている現在の設定状態を示すアイコンがそのままボタン化し、当該ボタンから設定変更の操作を行うことができるので、設定変更のためのメニュー画面の呼び出し操作が簡略化し、さらに画面上の情報表示の位置と設定変更ためのボタンの位置に関連性があるため、ユーザが設定変更を行う際の操作の利便性が向上する。
【００４６】
また、本実施の形態の例では、メニュー遷移指示領域に対してタッチパネル２３からタッチを行うことにより、設定変更を行うためのボタン画像が表示されるため、ユーザの誤操作の可能性が軽減される。つまり、メニュー遷移指示領域以外の領域にあるアイコン等をユーザがタッチパネル２３からタッチしてしまった場合でも、設定変更のメニューへ遷移しないため、意図せぬ誤操作を軽減することができる。
【００４７】
なお、本実施の形態における記述は、本発明の一例を示すものであり、これに限定されない。例えば、本実施の形態ではデジタルカメラ１０を例に挙げて説明したが、ＰＤＡ（Personal Digital Assistant）やその他の情報端末であってもよく、本実施の形態における説明は本発明を限定するものではない。
【００４８】
また、本実施の形態においては、メニュー遷移指示領域を押下することによって設定変更を行うためのボタンが表示する例を挙げて説明したが、他の指示によって当該ボタンが表示されるようにしてもよい。例えば、スルー画像を表示させたまま一定時間経過した場合、制御部２０はユーザが設定変更をする意思があると判断し、当該ボタンが表示されるようにしてもよい。
【００４９】
なお、表示状態設定テーブルＴ１に記憶される内容は、本実施の形態に限られるものではない。例えば、スルー画像に重畳的に表示されるアイコンとボタン画像の位置はユーザの好みに応じて配置が変更できるようにしてもよい。つまり、表示状態設定テーブルＴ１に格納される内容やアイコン表示等は、ユーザの好みに応じて設定するようにしてもよい。
【００５０】
また、本実施の形態においては、ボタン画像を表示部２４の両端からスライドさせるようにして表示する例を示したが、設定変更のための表示方法はこれに限定されない。つまり、設定変更を行うことのできるボタン画像が、ユーザの好みによって予め設定されたアニメーション処理によって表示されるようにしてもよいし、アニメーション処理等を行わずボタン画像が表示されるようにしてもよい。
【００５１】
その他、本実施の形態に係るデジタルカメラ１０を構成する各装置の細部構成及び細部動作に関しても、発明の趣旨を逸脱することのない範囲で適宜変更可能である。
【図面の簡単な説明】
【００５２】
【図１】本実施の形態におけるデジタルカメラを示す機能ブロック図である。
【図２】図１のタッチパネルの構成を示す模式図である。
【図３】図１の記憶部に記憶される表示状態設定テーブルの一例を示す模式図である。
【図４】図１の記憶部に記憶される設定内容テーブルの一例を示す模式図である。
【図５】図１の制御部によって実行される設定内容変更処理を示すフローチャートである。
【図６】図１の表示部に表示される画面遷移の一例を示す模式図である。
【図７】図１の表示部に表示される画面遷移の一例を示す模式図である。
【符号の説明】
【００５３】
１０  デジタルカメラ
２０  制御部
２１  撮像部
２２  Ａ／Ｄ変換部
２３  タッチパネル
２４  表示部
２５  記憶部
２６  画像処理部
２７  操作部
２８  Ｉ／Ｆ
２９  外部記憶Ｉ／Ｏ部
【図１】
0005233353.tif 000002
【図２】
0005233353.tif 000003
【図３】
0005233353.tif 000004
【図４】
0005233353.tif 000005
【図５】
0005233353.tif 000006
【図６】
0005233353.tif 000007
【図７】
0005233353.tif 000008